(57)【要約】【課題】洗浄時の作業性を向上することができるカバーを提供する。【解決手段】内側に緩衝体が収容される直方体状のカバー１０であって、高さ方向に延びる４つ全ての縦辺部には、第１開閉部３１〜３４が配設され、前後方向Ｘ又は左右方向Ｙに延びる８つの横辺部のうち、少なくとも１つには、第２開閉部４１〜４４が配設されている。【選択図】図２
2018117992.tif 000002
【特許請求の範囲】
【請求項１】
内側に緩衝体が収容される直方体状のカバーであって、
高さ方向に延びる４つ全ての縦辺部には、第１開閉部が配設され、
長手方向又は短手方向に延びる８つの横辺部のうち、少なくとも１つには、第２開閉部が配設されていることを特徴とするカバー。
【請求項２】
前記第２開閉部は、前記第１開閉部と連続して一体に延びていることを特徴とする請求項１に記載のカバー。
【請求項３】
前記第２開閉部は、前記８つの横辺部のうち、周方向の位置が互いに異なる４つの横辺部に配設され、前記カバーを、上カバーと下カバーとの２つに分離可能であることを特徴とする請求項１又は２に記載のカバー。
【請求項４】
周方向で互いに隣り合う前記第２開閉部同士は、高さ方向の位置が互いに異なっていることを特徴とする請求項３に記載のカバー。
【請求項５】
前記第２開閉部は、前記カバーにおいて、互いに対向する一対の側面を開閉可能であるように一対配設されていることを特徴とする請求項１又は２に記載のカバー。
【請求項６】
前記カバーの８箇所全ての頂点には、前記第１開閉部および前記第２開閉部のいずれかの端部が、１つ又は２つ配設されていることを特徴とする請求項１から５のいずれか１項に記載のカバー。
【請求項７】
カバーと、
前記カバーに収容される緩衝体と、を備え、
前記カバーは、請求項１から６のいずれか１項に記載のカバーとされていることを特徴とするマット装置。
【請求項８】
前記緩衝体は、流体セルを備え、
前記カバーは、前記流体セルに流体を給排する給排気部を収容し、
前記第２開閉部の開閉開始位置は、前記給排気部に隣接して配置されていることを特徴とする請求項７に記載のマット装置。
【発明の詳細な説明】
【技術分野】
【０００１】
本発明は、カバー、およびマット装置に関する。
【背景技術】
【０００２】
従来から、カバーとして、内側に緩衝体が収容される直方体をなす構成が知られている。
このようなカバーとして、例えば下記特許文献１に示されるように、周方向に延びる開閉部が配設された構成が知られている。この開閉部を開くことで、カバーの内部から緩衝体を出し入れすることができる。
【先行技術文献】
【特許文献】
【０００３】
【特許文献１】実用新案登録第３０３４３１７号公報
【発明の概要】
【発明が解決しようとする課題】
【０００４】
しかしながら、前記従来のカバーにおいては、高さ方向に延びる縦辺部の内側に異物が溜まりやすく、洗浄時に、縦辺部の内側に溜まった異物を排出するのに手間がかかっていた。また、カバーが防水性を備えている場合には、カバーを洗浄する際に、縦辺部に水が溜まることでカバーを乾燥させにくく、洗浄時の作業性が悪くなっていた。
【０００５】
本発明は、前述した事情に鑑みてなされたものであって、洗浄時の作業性を向上することができるカバーを提供することを目的とする。
【課題を解決するための手段】
【０００６】
前記課題を解決するために、本発明は以下の手段を提案している。
（１）本発明に係るカバーは、内側に緩衝体が収容される直方体状のカバーであって、高さ方向に延びる４つ全ての縦辺部には、第１開閉部が配設され、長手方向又は短手方向に延びる８つの横辺部のうち、少なくとも１つには、第２開閉部が配設されていることを特徴とする。
【０００７】
この発明では、直方体状のカバーのうち、高さ方向に延びる４つ全ての縦辺部に、第１開閉部が配設されているので、第１開閉部を開くことで、カバーの外部と内部とを連通する開口が形成されることとなる。これにより、この開口から、カバー内の異物を容易に排出することができる。また、カバーが防水性を備えている場合であっても、前記開口から排水することで、このカバーを容易に乾燥させることができる。
【０００８】
また、長手方向又は短手方向に延びる８つの横辺部のうち、少なくとも１つには、第２開閉部が配設されている。このため、この第２開閉部を開くことで、カバーの外部と内部とを連通する大きな開口を形成することができ、この開口を通して緩衝体の出し入れを行うことができる。
以上より、カバーの洗浄時の作業性を向上することができる。
【０００９】
（２）上記（１）に係るカバーであって、前記第２開閉部は、前記第１開閉部と連続して一体に延びてもよい。
【００１０】
この場合、第２開閉部が第１開閉部と連続して一体に延びているので、第２開閉部および第１開閉部の双方を開くことで、カバーの外部と内部とを連通する開口を大きく形成することができ、緩衝体の出し入れを容易に行うことができる。
【００１１】
（３）上記（１）又は（２）に係るカバーであって、前記第２開閉部は、前記８つの横辺部のうち、周方向の位置が互いに異なる４つの横辺部に配設され、前記カバーを、上カバーと下カバーとの２つに分離可能であってもよい。
【００１２】
この場合、８つの横辺部のうち、周方向の位置が互いに異なる４つの横辺部に配設された第２開閉部を開くことで、カバーを上カバーと下カバーとに分離可能となっている。このため、分離した上カバーおよび下カバーそれぞれを、小型の洗浄機で洗浄すること等が可能になり、カバーの取扱性を向上させることができる。これにより、カバーの洗浄時の作業性をより一層確実に向上することができる。
【００１３】
（４）上記（３）に係るカバーであって、周方向で互いに隣り合う前記第２開閉部同士は、高さ方向の位置が互いに異なってもよい。
【００１４】
この場合、周方向に互いに隣り合う第２開閉部を全て開くことで、上カバーと下カバーとを分離した上で、平面視で長方形状に展開することができる。これにより、カバーの形状を一層簡素化することができる。
【００１５】
（５）上記（１）又は（２）に係るカバーであって、前記第２開閉部は、前記カバーにおいて、互いに対向する一対の側面を開閉可能であるように一対配設されてもよい。
【００１６】
この場合、第２開閉部を開くことで、互いに対向する一対の側面を開き、カバーを折り畳むことができる。これにより、重ね合わせるようにカバーをコンパクトに折り畳むことが可能になり、カバーの洗浄時の作業性を一層向上することができる。
【００１７】
（６）上記（１）から（５）のいずれか１つに係るカバーであって、前記カバーの８箇所全ての頂点には、前記第１開閉部および前記第２開閉部のいずれかの端部が、１つ又は２つ配設されてもよい。
【００１８】
この場合には、カバーの８箇所全ての頂点に、第１開閉部および第２開閉部のいずれかの端部が、１つ又は２つ配設されていて、３つは配設されていない。したがって、例えば第１開閉部および第２開閉部にスライドファスナーを採用したときには、全ての第１開閉部および第２開閉部を開く場合に、スライドファスナーにおけるスライダーへの一度の操作によって、全ての第１開閉部および第２開閉部を開くことができるようにスライダーを配置することが可能になる。これにより、第１開閉部および第２開閉部の部品点数を削減できるとともに、全ての第１開閉部および第２開閉部を開閉する際の作業性を確保することができる。
【００１９】
（７）本発明に係るマット装置は、カバーと、前記カバーに収容される緩衝体と、を備え、前記カバーは、上記（１）から（６）のいずれか１つに係るカバーとされていることを特徴とする。
【００２０】
この場合、マット装置において、前述の各作用効果を奏功させることができる。
【００２１】
（８）上記（７）に係るマット装置であって、前記緩衝体は、流体セルを備え、前記カバーは、前記流体セルに流体を給排する給排気部を収容し、前記第２開閉部の開閉開始位置は、前記給排気部に隣接して配置されてもよい。
【００２２】
この場合、カバーが緩衝体の流体セルに流体を給排する給排気部を収容し、第２開閉部の開閉開始位置が、給排気部に隣接して配置されているので、第２開閉部を開閉開始位置から開く量が少なくても、給排気部を外部に露出させて操作することが可能になり、マット装置の取扱性を向上することができる。
【発明の効果】
【００２３】
本発明によれば、カバーの洗浄時の作業性を向上することができる。
【図面の簡単な説明】
【００２４】
【図１】本発明の第１実施形態に係るマット装置の斜視図である。
【図２】図１に示すマット装置のカバーにおける（ａ）斜視図、（ｂ）分解斜視図である。
【図３】図２に示すカバーにおける（ａ）上カバー、（ｂ）下カバーそれぞれの展開した状態を示す上面図である。
【図４】本発明の第２実施形態に係るカバーの斜視図である。
【図５】本発明の第３実施形態に係るカバーの斜視図である。
【図６】本発明の第４実施形態に係るカバーの斜視図である。
【発明を実施するための形態】
【００２５】
（第１実施形態）
以下、図１から図３を参照し、本発明の第１実施形態に係るマット装置１を説明する。
マット装置１としては、例えば使用者が横たわるベッド装置や使用者が着座するクッション装置等が挙げられ、本実施形態では、マット装置１の一例として、ベッド装置を採用している。以下、マット装置１における前後方向（長手方向）Ｘ、左右方向（短手方向）Ｙ、高さ方向Ｚを用いて各部の構成を説明する。また、前後方向Ｘのうち、使用者の頭が位置する側を前側（頭側）Ｈと、足が位置する側を後側（足側）Ｆということがある。
【００２６】
図１に示すように、マット装置１は、使用者が横たわるマット部（緩衝体）２と、マット部２への給気および排気を行う給排気部３と、これらを一体に覆うカバー１０と、を備えている。
マット部２は、複数の流体セル５を有するマットレスであり、これらの流体セル５の内部に、給排気部３を用いて給気されることで、内部に空気を充填し、マット部２上に横たわる使用者の荷重を支える。マット部２は直方体状をなしている。図示の例では、マット部２における後側Ｆかつ左側（マット部２上における仰臥位の使用者の左側、以下同様）の端部に、給排気部３が配置された凹欠き部が形成されている。給排気部３は、図示しないポンプおよび制御部を備える。給排気部３は、給排気部３から前後方向Ｘに延びるチューブ３ａを通してマット部２への給排気を行う。
流体セル５の内圧は、マット部２の硬さに対応しており、流体セル５の内圧を使用者の体重に応じて設定することで、マット部２の硬さを使用者にとって最適な硬さにすることができる。
【００２７】
流体セル５は、左右方向Ｙに延びる筒状のセルであり、図示の例では、複数の流体セル５が、前後方向Ｘに連ねられて配設されることにより、マット部２を構成している。流体セル５は、例えば塩化ビニルフィルム又はウレタンフィルム等のフィルム材で形成され、左右方向Ｙに沿う中心軸線回りに丸められ、その両周端部同士が例えば溶着等されることで形成される。
互いに隣接して配置された流体セル５同士は、互いに固定されていても固定されていなくてもよい。流体セル５は、カバー１０に、例えば取付部材６としてのボタンや紐などを介して取付けることができる。
【００２８】
カバー１０は、直方体状をなし、上方に位置する上カバー１０ａと、下方に位置する下カバー１０ｂとを備えている。上カバー１０ａおよび下カバー１０ｂはそれぞれ、一枚の生地で形成され、互いに分離可能となっている。図示の例では、上カバー１０ａは下カバー１０ｂよりも軟らかい生地により形成されている。図示の例では、カバー１０は撥水性を備えた材質で形成されており、防水性を備えている。カバー１０の内側にマット部２が収容される。
なお、例えば上カバー１０ａおよび下カバー１０ｂをそれぞれ、複数の生地により形成してもよいし、下カバー１０ｂに上カバー１０ａよりも軟らかい生地を採用してもよい。また、上カバー１０ａおよび下カバー１０ｂの少なくとも一方に、使用者などに上側か下側かを識別させるための表示を付してもよい。
【００２９】
上カバー１０ａは、マット部２の上方を覆う上平面体１１ａと、上平面体１１ａにおける左側の辺部２３から垂下された左側面体１２ａと、上平面体１１ａにおける右側（マット部２上における仰臥位の使用者の右側、以下同様）の辺部２４から垂下された右側面体１２ｂと、を備えている。上平面体１１ａ、左側面体１２ａ、および右側面体１２ｂは、一体に形成されている。
【００３０】
下カバー１０ｂは、マット部２の下方を覆う下平面体１１ｂと、下平面体１１ｂにおける前側Ｈの辺部２５から立設された前側面体１２ｃと、下平面体１１ｂにおける後側Ｆの辺部２６から立設された後側面体１２ｄと、を備えている。下平面体１１ｂ、前側面体１２ｃ、および後側面体１２ｄは、一体に形成されている。
【００３１】
そして本実施形態では、高さ方向に延び、周方向で互いに隣り合う側面体１２ａ〜１２ｄの４つ全ての縦辺部に、これらの側面体１２ａ〜１２ｄ同士を分離可能に連結する第１開閉部３１〜３４が配設されている。
左側面体１２ａと前側面体１２ｃとの接続部分に位置する縦辺部に、左側前方第１開閉部３１が配設され、前側面体１２ｃと右側面体１２ｂとの接続部分に位置する縦辺部に、右側前方第１開閉部３２が配設されている。また、左側面体１２ａと後側面体１２ｄとの接続部分に位置する縦辺部に、左側後方第１開閉部３３が配設され、後側面体１２ｄと右側面体１２ｂとの接続部分に位置する縦辺部に、右側後方第１開閉部３４が配設されている。
【００３２】
また本実施形態では、前後方向Ｘ又は左右方向Ｙに延びる８つの横辺部のうち、少なくとも１つには、第２開閉部４１〜４４が配設されている。この第２開閉部４１〜４４を開くことで、カバー１０の外部と内部とが連通される。
【００３３】
また本実施形態では、第２開閉部４１〜４４は、第１開閉部３１〜３４と連続して一体に延びている。第２開閉部４１〜４４の両端部は、２つの第１開閉部３１〜３４に各別に接続されている。第２開閉部４１〜４４は、一対の平面体１１ａ、１１ｂにおける複数の辺部２１〜２８のうち、周方向の位置が互いに異なる４つの辺部２１、２２、２７、２８と、これらの辺部２１、２２、２７、２８に各別に接続された側面体１２ａ〜１２ｄと、の接続部分に、それぞれ配設されている。
すなわち、カバー１０の８箇所全ての頂点には、第１開閉部３１〜３４および第２開閉部４１〜４４のいずれかの端部が、２つ配設され、３つ配設されていない。なお、カバー１０の８箇所全ての頂点には、第１開閉部３１〜３４および第２開閉部４１〜４４のいずれかの端部が１つ配設されてもよい。
【００３４】
第２開閉部４１〜４４は、カバー１０の周方向に沿ってカバー１０の全周にわたって延びている。すなわち、第２開閉部４１〜４４は、８つの横辺部のうち、周方向の位置が互いに異なる４つの横辺部に配設されている。カバー１０は、第１開閉部３１〜３４および第２開閉部４１〜４４を開くことで、上カバー１０ａと下カバー１０ｂとの２つに分離可能である。また、周方向で互いに隣り合う第２開閉部４１〜４４同士は、高さ方向Ｚの位置が互いに異なっている。
上カバー１０ａの上平面体１１ａにおける前側Ｈの辺部２１と、辺部２１に高さ方向Ｚに接続された下カバー１０ｂの前側面体１２ｃと、の接続部分に、前側第２開閉部４１が配設されている。前側第２開閉部４１は、左右方向Ｙに延びている。前側第２開閉部４１の左右方向Ｙの両端部は、左側前方第１開閉部３１、および右側前方第１開閉部３２に各別に接続されている。
【００３５】
また、上カバー１０ａの上平面体１１ａにおける後側Ｆの辺部２２と、辺部２２に高さ方向Ｚに接続された下カバー１０ｂの後側面体１２ｄと、の接続部分に、後側第２開閉部４２が配設されている。後側第２開閉部４２は、左右方向Ｙに延びている。後側第２開閉部４２の左右方向Ｙの両端部は、左側後方第１開閉部３３、および右側後方第１開閉部３４に各別に接続されている。
【００３６】
また、下カバー１０ｂの下平面体１１ｂにおける左側の辺部２７と、辺部２７に高さ方向Ｚに接続された上カバー１０ａの左側面体１２ａと、の接続部分に、左側第２開閉部４３が配設されている。左側第２開閉部４３は前後方向Ｘに延びている。
また、下カバー１０ｂの下平面体１１ｂにおける右側の辺部２８と、辺部２８に高さ方向Ｚに接続された上カバー１０ａの右側面体１２ｂと、の接続部分に、右側第２開閉部４４が配設されている。右側第２開閉部４４は前後方向Ｘに延びている。
【００３７】
また本実施形態では、第１開閉部３１〜３４および第２開閉部４１〜４４はそれぞれ、防水性を備えたスライドファスナーとされている。図示の例では、前述の通り、互いに接続された左側前方第１開閉部３１、前側第２開閉部４１、および右側前方第１開閉部３２が１つのスライドファスナーとされ、互いに接続された左側後方第１開閉部３３、後側第２開閉部４２、および右側後方第１開閉部３４が１つのスライドファスナーとされ、左側第２開閉部４３および右側第２開閉部４４がそれぞれ、１つのスライドファスナーとされている。これらは、それぞれが互いに独立したスライドファスナーとされている。
【００３８】
また、スライドファスナーを開く際に、図示しないスライダーをスライド移動させる方向は、図３に２点鎖線で示されるように、カバー１０の上面視において、４つ全てのスライドファスナーについて反時計回りとなっている。なお、スライドファスナーを開く際にスライダーをスライド移動させる方向は、カバー１０の上面視で全てのスライドファスナーにおいて時計回りであってもよいし、それぞれのスライドファスナーで互いに異なっていてもよい。
【００３９】
左側前方第１開閉部３１、前側第２開閉部４１、および右側前方第１開閉部３２におけるスライドファスナーの開閉開始位置（以下、第１始端部という）Ｓ１は、左側前方第１開閉部３１の下端部に位置し、開閉終了位置（以下、第１終端部という）Ｅ１は、右側前方第１開閉部３２の下端部に位置している。
また、左側後方第１開閉部３３、後側第２開閉部４２、および右側後方第１開閉部３４におけるスライドファスナーの開閉開始位置（以下、第２始端部という）Ｓ２は、右側後方第１開閉部３４の下端部に位置し、開閉終了位置（以下、第２終端部という）Ｅ２は、左側後方第１開閉部３３の下端部に位置している。
【００４０】
また、左側第２開閉部４３におけるスライドファスナーの開閉開始位置（以下、第３始端部という）Ｓ３は、左側第２開閉部４３における後側Ｆの端部に位置し、開閉終了位置（以下、第３終端部という）Ｅ３は、左側第２開閉部４３における前側Ｈの端部に位置している。第３始端部Ｓ３は、第２終端部Ｅ２と周方向で隣接し、給排気部３と隣接している。第３終端部Ｅ３は、第１始端部Ｓ１と周方向で隣接している。
【００４１】
また、右側第２開閉部４４におけるスライドファスナーの開閉開始位置（以下、第４始端部という）Ｓ４は、右側第２開閉部４４における前側Ｈの端部に位置し、開閉終了位置（以下、第４終端部という）Ｅ４は、右側第２開閉部４４における後側Ｆの端部に位置している。第４始端部Ｓ４は、第１終端部Ｅ１と周方向で隣接している。第４終端部Ｅ４は、第２始端部Ｓ２と周方向で隣接している。
【００４２】
以上説明したように、本実施形態に係るカバー１０によれば、高さ方向に延びる４つ全ての縦辺部に、第１開閉部３１〜３４が配設されているので、第１開閉部３１〜３４を開くことで、カバー１０の外部と内部とを連通する開口が形成されることとなる。これにより、この開口から、カバー１０内の異物を容易に排出することができる。また、カバー１０が防水性を備えている場合であっても、前記開口から排水することで、このカバー１０を容易に乾燥させることができる。
【００４３】
また、前後方向Ｘ又は左右方向Ｙに延びる８つの横辺部のうち、少なくとも１つには、第２開閉部４１〜４４が配設されている。このため、この第２開閉部４１〜４４を開くことで、カバー１０の外部と内部とを連通する大きな開口を形成することができ、この開口を通してマット部２の出し入れを行うことができる。
以上より、カバー１０の洗浄時の作業性を向上することができる。
【００４４】
また、第２開閉部４１〜４４が第１開閉部３１〜３４と連続して一体に延びているので、第２開閉部４１〜４４および第１開閉部３１〜３４の双方を開くことで、カバー１０の外部と内部とを連通する開口を大きく形成することができ、マット部２の出し入れを容易に行うことができる。
【００４５】
また、８つの横辺部のうち、周方向の位置が互いに異なる４つの横辺部に配設された第２開閉部４１〜４４を開くことで、カバー１０を上カバー１０ａと下カバー１０ｂとに分離可能となっている。これにより、分離した上カバー１０ａおよび下カバー１０ｂそれぞれを、小型の洗浄機で洗浄すること等が可能になり、カバー１０の取扱性を向上させることができる。これにより、カバー１０の洗浄時の作業性をより一層確実に向上することができる。
【００４６】
また、周方向で互いに隣り合う第２開閉部４１〜４４同士が、高さ方向の位置が互いに異なっているので、第２開閉部を全て開くことで、上カバー１０ａと下カバー１０ｂとを分離した上で、平面視で長方形状に展開することができる。これにより、カバー１０の形状を一層簡素化することができる。
【００４７】
また、左側第２開閉部４３の開閉開始位置である第３始端部Ｓ３が、給排気部３と隣接して配置されているので、左側第２開閉部４３を第３始端部Ｓ３から開く量が少なくても、給排気部３を外部に露出させて操作することが可能になり、マット装置１の取扱性を向上することができる。
【００４８】
また、カバー１０の８箇所全ての頂点には、第１開閉部３１〜３４および第２開閉部４１〜４４のいずれかの端部が、１つ又は２つ配設されていて、３つは配設されていない。したがって、例えば第１開閉部３１〜３４および第２開閉部４１〜４４にスライドファスナーを採用したときには、全ての第１開閉部３１〜３４および第２開閉部４１〜４４を開く場合に、スライドファスナーにおけるスライダーへの一度の操作によって、全ての第１開閉部３１〜３４および第２開閉部４１〜４４を開くことができるようにスライダーを配置することが可能になる。これにより、第１開閉部３１〜３４および第２開閉部４１〜４４の部品点数を削減できるとともに、全ての第１開閉部３１〜３４および第２開閉部４１〜４４を開閉する際の作業性を確保することができる。
【００４９】
また、第１開閉部３１〜３４および第２開閉部４１〜４４が、互いに独立したスライドファスナーであり、１つのスライドファスナーの始端部Ｓ１〜Ｓ４が、他のスライドファスナーの終端部Ｅ１〜Ｅ４に隣接している。このため、複数のスライドファスナーを例えば開く場合に、１つのスライドファスナーにおけるスライダーを、このスライドファスナーの終端部Ｅ１〜Ｅ４までスライド移動させてこのスライドファスナーを開いたときに、手が他のスライドファスナーの始端部Ｓ１〜Ｓ４に位置するスライダーに近接していることとなる。したがって、１つのスライドファスナーを開き終えた後に、他のスライドファスナーのスライダーをつまむときの手の移動を最小限に抑えることができる。
【００５０】
また、左右方向Ｙの端部に位置する左側第２開閉部４３および右側第２開閉部４４が、左右方向の端部に位置する辺部２７、２８と、この辺部２７、２８に接続された側面体１２ａ、１２ｂとの接続部分に配設されている。ここで、左側第２開閉部４３および右側第２開閉部４４が、下方に位置しているので、上方に位置する上平面体１１ａから左側第２開閉部４３および右側第２開閉部４４までの高さ方向Ｚの距離を確保することができる。したがって、例えばカバーを使用した際に、仮に上平面体１１ａに液体がかかった場合であっても、左側第２開閉部４３および右側第２開閉部４４に液体が到達して進入するのを抑制することができる。これにより、例えば、第２開閉部に防水機能を付与することなく、第２開閉部からの液体の進入を規制することが可能になり、低コスト化を図ること等ができる。
【００５１】
また、第１開閉部３１〜３４および第２開閉部４１〜４４が防水スライドファスナーとされているため、仮に第１開閉部３１〜３４および第２開閉部４１〜４４に水がかかった場合であっても、カバー１０の内部へ水が進入するのを防ぐことが可能になり、カバー１０に防水性を具備させることができる。
【００５２】
（第２実施形態）
次に、図４を参照し、本発明に係る第２実施形態のカバー６０を説明する。
なお、この第２実施形態においては、第１実施形態における構成要素と同一の部分については同一の符号を付し、その説明を省略し、異なる点についてのみ説明する。
図４に示すように、第２実施形態に係るカバー６０では、上平面体１１ａにおける後側第２開閉部４２との接続部分に、上平面体１１ａ上の液体が後側第２開閉部４２に進入するのを規制する上規制部９ａが配設されている。上規制部９ａは、上平面体１１ａと一体に形成され、後側第２開閉部４２を、後側第２開閉部４２の上方から覆う、ひさし状に形成されている。
図示の例では、上規制部９ａは、上平面体１１ａのうち、後側面体１２ｄより後方に突出した部分を、下方に曲げつつ前方に向けて折り返し、高さ方向Ｚに重ね合わせた状態で互いを縫い合わせることで形成されている。
【００５３】
また、左側面体１２ａにおける左側後方第１開閉部３３との接続部分に、左規制部９ｂが配設されている。左規制部９ｂは、左側面体１２ａのうち、後側面体１２ｄより後方に突出した部分を、右側に曲げつつ前方に向けて折り返し、左右方向Ｙに重ね合わせた状態で互いを縫い合わせることで形成されている。
また、右側面体１２ｂにおける右側後方第１開閉部３４との接続部分に、右規制部９ｃが配設されている。右規制部９ｃは、右側面体１２ｂのうち、後側面体１２ｄより後方に突出した部分を、左側に曲げつつ前方に向けて折り返し、左右方向Ｙに重ね合わせた状態で互いを縫い合わせることで形成されている。
【００５４】
以上のとおり、上規制部９ａ、左規制部９ｂ、および右規制部９ｃは、左側後方第１開閉部３３、後側第２開閉部４２、および右側後方第１開閉部３４におけるスライドファスナーを、上方および左右方向Ｙの両側から囲んでいる。
上規制部９ａ、左規制部９ｂ、および右規制部９ｃは、カバー６０の前端部にも配設され、左側前方第１開閉部３１、前側第２開閉部４１、および右側前方第１開閉部３２におけるスライドファスナーを、上方および左右方向Ｙの両側から囲んでいる。
【００５５】
以上説明したように、本実施形態に係るカバー６０によれば、上規制部９ａ、左規制部９ｂ、および右規制部９ｃが配設されているので、仮に上平面体１１a、左側面体１２ａ、および右側面体１２ｂに液体がかかった場合であっても、規制部９ａ、９ｂ、９ｃにより後側第２開閉部４２、左側後方第１開閉部３３、および右側後方第１開閉部３４に液体が到達して進入するのを防ぐことができる。
【００５６】
また、本実施形態では、上平面体１１ａにおける後側第２開閉部４２との接続部分に、ひさし状の上規制部９ａが配設された構成を示したが、このような態様に限られない。規制部としては、例えば、上平面体１１ａにおける後側第２開閉部４２との接続部分に、撥水処理を施すことで、上平面体１１ａ上の液体が、後側第２開閉部４２に進入するのを規制するような構成であってもよいし、上規制部９ａが、左側面体１２ａにおける左側第２開閉部４３、又は右側面体１２ｂにおける右側第２開閉部４４に配設されてもよい。
【００５７】
（第３実施形態）
次に、図５を参照し、本発明に係る第３実施形態のカバー７０を説明する。
なお、この第３実施形態においては、第２実施形態における構成要素と同一の部分については同一の符号を付し、その説明を省略し、異なる点についてのみ説明する。
図５に示すように、本実施形態に係るカバー７０では、第２開閉部４１〜４３は、カバー７０の周方向に沿って、周方向に互いに隣り合う一対の第１開閉部３２、３４の間を除く全長にわたって延びている。カバー７０は、第１開閉部３１〜３４および第２開閉部４１〜４３を開くことで、展開可能である。
【００５８】
カバー７０では、第１実施形態のカバー１０における前側第２開閉部４１、後側第２開閉部４２、左側第２開閉部４３、および右側第２開閉部４４のうち、右側第２開閉部４４を備えていない。すなわち、下平面体１１ｂにおける右側の辺部２８が、右側面体１２ｂと前後方向Ｘの全長にわたって接続されている。これにより、カバー７０は一体に形成されている。
すなわち、本実施形態では、第２開閉部４１、４２、４３は、一対の平面体１１ａ、１１ｂにおける複数の辺部２１〜２８のうち、周方向の位置が互いに異なる３つの辺部２１、２２、２７と、これらの辺部２１、２２、２７に各別に接続された側面体１２ａ、１２ｃ、１２ｄと、の接続部分に、それぞれ配設されている。
【００５９】
第２開閉部４１〜４４が、周方向に異なる位置に配置された３つの辺部２１、２２、２７と、これらの辺部２１、２２、２７に各別に接続された側面体１２ａ、１２ｃ、１２ｄとの接続部分にそれぞれ配設されているので、第２開閉部４１〜４４および第１開閉部３１〜３４の双方を開くことで、一対の平面体１１ａ、１１ｂおよび全ての側面体１２ａ〜１２ｄにおける内表面および外表面がそれぞれ、同一面上に位置するようにカバー１０を展開することができる。これにより、カバー１０の内部を容易に洗浄することが可能になり、カバー１０の洗浄時の作業性をより一層向上することができる。
【００６０】
以上説明したように、本実施形態に係るカバー７０によれば、周方向に互いに隣り合う一対の第１開閉部３２、３４の間を除く全域にわたって、カバー７０の周方向に沿って延びる第２開閉部４１〜４３を開くことで、カバー７０を展開することができる。これにより、カバー７０の内部を容易に洗浄することが可能になり、カバー７０の洗浄時の作業性をより一層向上することができる。
【００６１】
（第４実施形態）
次に、図６を参照し、本発明に係る第４実施形態のカバー８０を説明する。
なお、この第４実施形態においては、第３実施形態における構成要素と同一の部分については同一の符号を付し、その説明を省略し、異なる点についてのみ説明する。
図６に示すように、本実施形態に係るカバー８０では、第２開閉部４１、４２は、カバー８０において、互いに対向する一対の側面体１２ｃ、１２ｄを開閉可能であるように一対配設されている。すなわち、第２開閉部４１、４２は、カバー８０のうち、上面視においてマット部２の左右方向Ｙに延びる一対の辺部２１，２２に配設され、カバー８０は、第１開閉部３１〜３４および第２開閉部４１、４２を開くことで、左右方向Ｙに折り畳み可能である。
なお、第２開閉部は、前後方向Ｘに延びる一対の辺部２３、２４等に配設され、カバー８０は、第１開閉部３１〜３４および第２開閉部を開くことで、前後方向Ｘに折り畳み可能とされてもよい。
【００６２】
カバー８０では、第３実施形態のカバー７０における前側第２開閉部４１、後側第２開閉部４２、および左側第２開閉部４３のうち、左側第２開閉部４３を備えていない。すなわち、下平面体１１ｂにおける左側の辺部２７が、左側面体１２ａと前後方向Ｘの全長にわたって接続されている。これにより、カバー８０における、左側面体１２ａ、上平面体１１ａ、右側面体１２ｂ、下平面体１１ｂは、前後方向Ｘから見て矩形筒状をなしている。
すなわち、本実施形態では、第２開閉部４１、４２は、一対の平面体１１ａ、１１ｂにおける複数の辺部２１〜２８のうち、互いに平行で、かつ周方向の位置が互いに異なる一対の辺部２１、２２と、これらの辺部２１、２２に各別に接続された側面体１２ｃ、１２ｄと、の接続部分に、それぞれ配設されている。
【００６３】
第２開閉部４１、４２が、互いに平行をなし、周方向に異なる位置に配置された一対の辺部２１、２２と、これらの辺部２１、２２に各別に接続された側面体１２ｃ、１２ｄと、の接続部分に、それぞれ配設されている。これにより、４つの側面体１２ａ〜１２ｄのうち、周方向に異なる位置に配置された一対の側面体１２ｃ、１２ｄそれぞれにおいて、１つの辺を除く３つの辺に、第１開閉部３１〜３４および第２開閉部４１〜４４のいずれかを配設することができる。したがって、各側面体１２ａ〜１２ｄにおける第２開閉部４１、４２および第１開閉部３１〜３４の双方を開くことで、側面体１２ｃ、１２ｄの内表面および外表面を、この側面体１２ｃ、１２ｄが連結されている平面体１１ａ、１１ｂの内表面および外表面と同一平面上に位置させることができる。これにより、一対の平面体１１ａ、１１ｂの内表面同士を互いに重ね合わせるようにカバー１０をコンパクトに折り畳むことが可能になり、カバー１０の洗浄時の作業性を一層向上することができる。
【００６４】
以上説明したように、本実施形態に係るカバー８０によれば、また、カバー８０のうち、上面視においてマット部２の左右方向Ｙに延びる一対の辺部２１、２２に配設された第２開閉部４１、４２を開くことで、互いに対向する一対の側面体１２ｃ、１２ｄを開き、カバー８０を折り畳むことができる。これにより、重ね合わせるようにカバー８０をコンパクトに折り畳むことが可能になり、カバー８０の洗浄時の作業性を一層向上することができる。
【００６５】
なお、本発明の技術的範囲は前記実施形態に限定されるものではなく、本発明の趣旨を逸脱しない範囲において種々の変更を加えることが可能である。
例えば、上記実施形態では、流体セル５として、内部に空気を充填した構成を示したが、このような態様に限られず、内部に液体等の流体を充填した流体セルとしてもよい。
【００６６】
また、上記実施形態においては、複数の流体セル５が、それぞれ独立して前後方向Ｘに連ねられて配設されることにより、マット部２をなす構成を示したが、このような態様に限られない。例えば複数の流体セルが、単位数量毎に、予め互いに連結された状態で、前後方向Ｘに連ねられて配設されていてもよい。このように複数の流体セルを予め連結した状態で配設することで、流体セルを前後方向Ｘに倒れにくくすることができ、流体セルの取扱性を向上することができる。
【００６７】
また、上記実施形態においては、第２開閉部４１〜４４が、辺部２０と側面体１２との接続部分に形成され、その両端部が第１開閉部３１〜３４と接続された構成について示したが、このような態様に限られない。第２開閉部は、上面体や側面体において、高さ方向Ｚと交差する任意の方向に延びるように形成されてもよいし、第２開閉部の両端部は、第１開閉部と接続されなくてもよい。
【００６８】
また、上記実施形態においては、第１開閉部３１〜３４および第２開閉部４１〜４４が、スライドファスナーをなす構成を示したが、このような態様に限られない。第１開閉部および第２開閉部は、例えば面ファスナーやボタン等の他の構造を有する開閉部とされてもよい。
また、スライドファスナーは、その始端部Ｓおよび終端部Ｅが、第１開閉部３１〜３４および第２開閉部４１〜４４の端部に位置している構成を示したが、このような態様に限られない。スライドファスナーの始端部および終端部は、第１開閉部および第２開閉部それぞれの中間部に位置してもよい。
【００６９】
また、上記実施形態においては、カバー１０に４つのスライドファスナーが設けられた構成を示したが、このような態様に限られない。例えば全ての第１開閉部および第２開閉部が互いに接続され、１つのスライドファスナーとされた構成としてもよいし、５つ以上のスライドファスナーとされた構成としてもよい。
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００７０】
１  マット装置
２  マット部（緩衝体）
３  給排気部
５  流体セル
１０、６０、７０、８０  カバー
１０ａ  上カバー
１０ｂ  下カバー
１１ａ、１１ｂ  平面体
１２ａ〜１２ｄ  側面体
２１〜２８  辺部
３１〜３４  第１開閉部
４１〜４４  第２開閉部
【図１】
2018117992.tif 000003
【図２】
2018117992.tif 000004
【図３】
2018117992.tif 000005
【図４】
2018117992.tif 000006
【図５】
2018117992.tif 000007
【図６】
2018117992.tif 000008